(57)【要約】      （修正有）【課題】高レベルの安定性とトラクション力を提供できるアウトソール構造が改善されたゴルフ靴を提供する。【解決手段】ゴルフ靴は、アッパー、ミッドソール、アウトソールのセクションを含む。アウトソールは、アウトソールにわたって一方向に伸びる第１組の弧状経路５４を含む。第２組の弧状経路は、アウトソールにわたって第２の方向に延びる。第１および第２の弧状経路が互いに重ね合わされると、四辺タイル片７０が形成され、これらのタイルは突出トラクション部材を含む。種々のトラクション部材を含む種々のトラクションゾーンがアウトソールに設けらる。これらのゾーンは、すべての表面でのトラクションを改善し、溝がなく、ゴルフ場の芝のトレンチがない。一定量のトラクションに対してゴルフコースへのダメージが少なくなる。【選択図】図７
2020099671.tif 000002
【特許請求の範囲】
【請求項１】
アッパーと、
アウトソールと、
上記アッパーおよび上記アウトソールに結合されるミッドソールとを有し、
上記アッパー、上記ミッドソール、および上記アウトソールの各々は、前方足部領域、中央足部領域、および後方足部領域、ならびに、外側サイドおよび内側サイドを有し、
上記アウトソールは、
第１組の螺旋状経路（Ａ）であって、各々の螺旋状経路は、１つの原点から複数の螺旋状セグメントを放射させ、当該セグメントの各々が異なる曲率度を有し、サブセグメントを含む、上記第１組の螺旋状経路（Ａ）と、
第２組の螺旋状経路（Ｂ）であって、各々の螺旋状経路は、１つの原点から複数の螺旋状セグメントを放射させ、当該セグメントの各々が異なる曲率度を有し、サブセグメントを含む、上記第２組の螺旋状経路（Ｂ）とを有し、
上記第１組の螺旋状経路（Ａ）は標準であり、上記第２組の螺旋状経路（Ｂ）は上記第１組の螺旋状経路（Ａ）と反転であり、これによって、上記螺旋状経路が相互に重ね合わされたときに、組（Ａ）からの上記螺旋状セグメントのサブセグメントと組（Ｂ）からの上記螺旋状セグメントのサブセグメントとが四辺タイル片を上記アウトソールの表面に形成し、上記タイル片はトラクション部材を含むことを特徴とするゴルフ靴。
【請求項２】
上記靴は、上記前方足部領域の１つの周囲に沿って伸びる第１ゾーンの、突出トラクション部材を含むタイルと、上記前方足部領域の反対の周囲に沿って伸びる第３ゾーンの、突出トラクション部材を含むタイルと、上記第１ゾーンおよび上記第３ゾーンの間に配置される第２ゾーンの、突出トラクション部材を含むタイルとを有する請求項１記載のゴルフ靴。
【請求項３】
上記第１ゾーンのタイル中の上記トラクション部材は、リセス領域および非リセス領域を含む三角形状の頂部表面を具備し、上記非リセス領域は地面接触表面を形成し、全体の地面接触表面の面積は上記タイルの全体の表面面積を基準にして約１０から約３５％の範囲内である請求項２記載のゴルフ靴。
【請求項４】
上記第２ゾーンのタイル中の上記トラクション部材は、３つの傾斜表面と、地面接触表面を形成する１つの頂点とを具備する三面ピラミッド状の形状を有し、全体の地面接触表面の面積は上記タイルの全体の表面面積を基準にして約５から約４０％の範囲内である請求項２記載のゴルフ靴。
【請求項５】
上記第３ゾーンのタイル中の上記トラクション部材は、地面接触表面を形成する、三角形状の非リセス頂部表面を具備し、全体の地面接触表面の面積は上記タイルの全体の表面面積を基準にして約２０から約６０％の範囲内である請求項２記載のゴルフ靴。
【請求項６】
上記靴は、上記中央足部領域に沿って伸びる１つのゾーンの、突出トラクション部材を含むタイルを有し、上記トラクション部材は３つの傾斜表面と、地面接触表面を形成する１つの頂点とを具備する三面ピラミッド状の形状を有し、全体の地面接触表面の面積は上記タイルの全体の表面面積を基準にして約５から約４０％の範囲内である請求項１記載のゴルフ靴。
【請求項７】
上記靴は、上記後方足部領域の１つの周囲に沿って伸びる第１ゾーンの、突出トラクション部材を含むタイルと、上記後方足部領域の反対の周囲に沿って伸びる第３ゾーンの、突出トラクション部材を含むタイルと、上記第１ゾーンおよび上記第３ゾーンの間に配置される第２ゾーンの、突出トラクション部材を含むタイルとを有する請求項１記載のゴルフ靴。
【請求項８】
上記第１ゾーンのタイル中の上記トラクション部材は、地面接触表面を形成する、三角形状の非リセス頂部表面を具備し、全体の地面接触表面の面積は上記タイルの全体の表面面積を基準にして約２０から約６０％の範囲内である請求項７記載のゴルフ靴。
【請求項９】
上記第２ゾーンのタイル中の上記トラクション部材は、３つの傾斜表面と、地面接触表面を形成する１つの頂点とを具備する三面ピラミッド状の形状を有し、全体の地面接触表面の面積は上記タイルの全体の表面面積を基準にして約５から約４０％の範囲内である請求項７記載のゴルフ靴。
【請求項１０】
上記第３ゾーンのタイル中の上記トラクション部材は、リセス領域および非リセス領域を含む三角形状の頂部表面を具備し、上記非リセス領域は地面接触表面を形成し、全体の地面接触表面の面積は上記タイルの全体の表面面積を基準にして約１０から約３５％の範囲内である請求項２記載のゴルフ靴。
【請求項１１】
上記アウトソールはゴム組成物を有する請求項１記載のゴルフ靴。
【請求項１２】
上記ミッドソールはエチレンビニルアセテートコポリマー組成物を有する請求項１記載のゴルフ靴。
【請求項１３】
アッパーと、
アウトソールと、
上記アッパーおよび上記アウトソールに結合されるミッドソールとを有し、
上記アッパー、上記ミッドソール、および上記アウトソールの各々は、前方足部領域、中央足部領域、および後方足部領域、ならびに、外側サイドおよび内側サイドを有し、
上記アウトソールは、
上記前方足部領域の上記内側サイドに位置付けられる１つの中心点を具備し、長さ方向に上記前方足部領域にわたって伸びる第１組の弧状経路であって、各々の弧状経路の曲率が上記中心点から上記弧が上記前方足部領域にわたって伸びるときに大きくなる、上記第１組の弧状経路と、
上記前方足部領域の後端に位置付けられる１つの中心点を具備し、横方向に上記前方足部領域にわたって伸びる第２組の弧状経路であって、各々の弧状経路の曲率が上記中心点から上記弧が上記前方足部領域にわたって伸びるときに大きくなる、上記第２組の弧状経路とを有し、
これによって、上記第１組の弧状経路および上記第２組の弧状経路が相互に重ね合わされたときに、上記第１組の弧状経路および上記第２組の弧状経路の交点が形成され、当該交点が上記前方足部領域の表面に四辺タイルピースを形成し、上記タイルピースはトラクション部材を含むことを特徴とするゴルフ靴。
【請求項１４】
上記靴は、上記前方足部領域の１つの周囲に沿って伸びる第１ゾーンの、突出トラクション部材を含むタイルと、上記前方足部領域の反対の周囲に沿って伸びる第３ゾーンの、突出トラクション部材を含むタイルと、上記第１ゾーンおよび上記第３ゾーンの間に配置される第２ゾーンの、突出トラクション部材を含むタイルとを有する請求項１３記載のゴルフ靴。
【請求項１５】
上記アウトソールはゴム組成物を有する請求項１３記載のゴルフ靴。
【請求項１６】
上記ミッドソールはエチレンビニルアセテートコポリマー組成物を有する請求項１３記載のゴルフ靴。
【請求項１７】
アッパーと、
アウトソールと、
上記アッパーおよび上記アウトソールに結合されるミッドソールとを有し、
上記アッパー、上記ミッドソール、および上記アウトソールの各々は、後方足部領域、中央足部領域、および後方足部領域、ならびに、外側サイドおよび内側サイドを有し、
上記アウトソールは、
上記後方足部領域の上記内側サイドに位置付けられる１つの中心点を具備し、長さ方向に上記後方足部領域にわたって伸びる第１組の弧状経路であって、各々の弧状経路の曲率が上記中心点から上記弧が上記後方足部領域にわたって伸びるときに大きくなる、上記第１組の弧状経路と、
上記後方足部領域の後端に位置付けられる１つの中心点を具備し、横方向に上記後方足部領域にわたった伸びる第２組の弧状経路であって、各々の弧状経路の曲率が上記中心点から上記弧が上記後方足部領域にわたって伸びるときに大きくなる、上記第２組の弧状経路とを有し、
これによって、上記第１組の弧状経路および上記第２組の弧状経路が相互に重ね合わされたときに、上記第１組の弧状経路および上記第２組の弧状経路の交点が形成され、当該交点が上記後方足部領域の表面に四辺タイルピースを形成し、上記タイルピースはトラクション部材を含むことを特徴とするゴルフ靴。
【請求項１８】
上記靴は、上記後方足部領域の１つの周囲に沿って伸びる第１ゾーンの、突出トラクション部材を含むタイルと、上記後方足部領域の反対の周囲に沿って伸びる第３ゾーンの、突出トラクション部材を含むタイルと、上記第１ゾーンおよび上記第３ゾーンの間に配置される第２ゾーンの、突出トラクション部材を含むタイルとを有する請求項１７記載のゴルフ靴。
【請求項１９】
上記アウトソールはゴム組成物を有する請求項１７記載のゴルフ靴。
【請求項２０】
上記ミッドソールはエチレンビニルアセテートコポリマー組成物を有する請求項１７記載のゴルフ靴。
【発明の詳細な説明】
【技術分野】
【０００１】
この発明は、全般的には靴に関し、より詳細には、改良されたアウトソールを有するゴルフ靴に関する。アウトソールは、コース内およびコース外のアクティビティにトラクションを提供する種々の領域またはゾーンのトラクション部材を具備する。トラクション部材は、溝のないパターンでアウトソールに配置される。トラクション部材とアウトソール上の独自のパターンは、高いトラクションと低い芝トレンチ特性を備えた靴を提供する。アウトソールは、一定量のトラクションでパッティンググリーンへのダメージをさらに最小限に抑える。
【背景技術】
【０００２】
プロおよびアマチュアのゴルファーは、今日、特別に設計されたゴルフ靴を使用している。典型的には、ゴルフ靴は、アッパー部分とアウトソール部分とを、当該アッパーをアウトソールに結合するミッドソールとともに、含む。アッパーは、ユーザーの足を挿入するための従来の形状を有しており、このため、靴の中で足を覆って保護する。アッパーは、足の輪郭に快適にフィットするように設計されている。ミッドソールは比較的軽量で、靴にクッション性を提供する。アウトソールは、ゴルファーに安定性とトラクションを提供するように設計されている。アウトソールの底面は、地面と接触してそこに入り込み地面表面と係合するように設計されたスパイクまたはクリートを含んで良い。これらの要素は、ゴルファーがコースを歩いてプレーするときに、より良い足部トラションをゴルファーに提供するのに役立つ。
【０００３】
多くの場合、「スパイク」および「クリート」という用語は、ゴルフ業界で互換的に使用される。一部のゴルファーは、「スパイク」という用語を好んでいる。クリートは、野球、サッカー、サッカーなどの他のスポーツに一般的に関連付けられているからでる。他のゴルファーは、「クリート」という用語を好んで使用する。スパイクは、トラックや自転車などの芝のないスポーツに一般的に関連しているためである。以下の説明では、便宜上「スパイク」という用語を使用する。ゴルフ靴のスパイクは、金属またはプラスチック材料で作ることができる。ただし、金属スパイクの問題の１つは、これら金属スパイクが、通常、パッティンググリーンの表面を突き破って穴を残し、他の損傷を引き起こす可能性のある、鋭い先端が下向きに伸びる細長い部品であることである。これらの金属スパイクは、ゴルフ場の他の地面、たとえばクラブハウスのカーペットや床にも損傷を与える可能性がある。今日、ほとんどのゴルフコースでは、ゴルファーが非金属スパイクを使用する必要がある。プラスチック製のスパイクは、通常、一方の面に中央のスタッドがある丸いベースを具備する。丸いベースのもう一方の面には、地面に接触するためのトラクション突起を持つ放射状のアームがある。以下でさらに説明するように、靴のアウトソールのネジ付きレセプタクルに挿入するために、スパイクのスタッドの周りにネジ山が間隔を空けて設けられている。これらのプラスチックスパイクは簡単に固定でき、後でアウトソールのロックレセプタクルから取り外すことができるため、グリーンやクラブハウスの床面の損傷が少ない傾向がある。
【０００４】
スパイクがゴルフ靴に存在する場合、それらはアウトソールのレセプタクル（ソケット）に取り外し可能に固定されることが好ましい。レセプタクルは、アウトソールに取り付けられた成形ポッドに位置付けて良い。成形されたポッドは、靴のさらなる安定性とバランスを提供する。スパイクはレセプタクルに簡単に挿入したり取り外したりできる。通常、スパイクを挿入してから時計回りにわずかにねじることにより、スパイクをレセプタクルに固定できる。スパイクを反時計回りにわずかにねじることにより、レセプタクルから取り外すことができる。
【０００５】
近年、「スパイクレス」または「クリートレス」の靴がより一般的になっている。これらの靴のアウトソールはゴムまたはプラスチックのトラクション部材を含むけれども、スパイクやクリートを含んでいない。これらのトラクション部材は、アウトソールの底面から突き出て地面に接触する。靴は、ゴルフコース上およびコース外用に設計されている。つまり、靴は、ティー、フェアウェイ、グリーンなど、コースでプレーするゴルファーに優れた安定性とトラクションを提供する。さらに、靴は軽量で快適で、ゴルフコース以外でも使用できる。この靴はクラブハウス、オフィス、またはその他のコース外の場所で快適に着用できる。
【０００６】
ゴルファーがクラブを振って体重を移すと、彼らの足部は途方もない力を吸収する。たとえば、右利きのゴルファーがクラブのスイングモーションを開始する前に最初に足を配置したとき（つまり、ボールにアドレスするとき）、体重は前足と後足の間で均等に分散される。ゴルファーがバックスイングを開始すると、体重は主に後ろ足にシフトする。ダウンスイングの開始時に、後ろ足に大きな圧力がかかる。したがって、後足は駆動足と呼ばれ、前足は安定化足と呼ばれる。ゴルファーがスイングに続けてボールを打つと、その重量は駆動足から前の（安定化）足に移る。スイング動作中に、前後の足にいくつかのピボットがあるけれども、このピボット動作は制御する必要がある。ショットを行う際に、足が大きく動いたり滑ったりしないことが重要である。良好な足のトラクションは、ゴルフショットサイクル中に重要である。したがって、従来のゴルフ靴は、アウトソール全体の種々の場所に配置されたトラクション部材とスパイクを備えている。
【０００７】
例えば、米国特許第８，６７７，６５７号（Ｂａｃｏｎ等）は、前方部分が比較的柔らかく柔軟な熱可塑性ポリウレタンへと成形され、ヒール部分が比較的硬質のＴＰＵへと成形される硬質熱可塑性ポリウレタンポッドを具備するゴルフ靴アウトソールを開示している。各ポッドは、クリートを挿入したり取り外したりするためのクリートレセプタクルを含む。米国特許第７，８９５，７７３号（Ｒｏｂｉｎｓｏｎ，Ｊｒ．等）は、中足骨に近接したアウトソールの凹部に収容された折りたたみ可能な支持可能なゲルパッドを有するゴルフ靴を開示している。靴は、交換できる比較的柔らかいプラスチック製スパイクと、交換できない比較的硬いゴム製クリートを含む。一定の期間（３か月など）で、交換用スパイクが摩耗した後、ゴルファーはそれらを交換してトラクションを回復できる。ゴルファーが希望する場合、交換スパイクの高さを選択して、摩耗したであろう交換不可能なクリートの高さに一致させることができる。
【０００８】
他の例では、アウトソールは、アウトソールを横切って延びる横方向および縦方向の列を備えた線形パターンに配置されたトラクション部材、スパイク、および／またはクリートを含んで良い。例えば、米国特許第４，７８２，６０４号（Ｗｅｎ−Ｓｈｏｗｎ）は、複数の取り外し可能な金属スパイク（釘）と直線パターンに配置された複数のソフトクリートを備えたゴルフ靴アウトソールを開示している。金属製のクリートは、アウトソールの母指球（ｂａｌｌ）部分とヒール部分に配置される。ソフトクリートは、位置決め、荷重の負担、弾性の提供を目的として、ソールの周囲に配置される。
【０００９】
米国特許第９，３３２，８０３号（Ｋａｓｐｒｚａｋ）は、足部前方領域およびかかと領域に沿って分布するクリートを有するゴルフ靴アウトソールを開示している。クリートは、アウトソールの縦方向の長さに沿って横列に配置されている。クリートは基本的に十字形である。足部前領域は、親指球領域とつま先領域を含む。親指球領域とヒール領域は、ソールの他の領域よりも高く幅広のクリートを有する。親指球領域とヒール領域に沿ったクリートの高さはほぼ同じである。
【００１０】
別のバージョンでは、トラクション部材は円形パターンに配置され、リング状に位置付けられた各トラクション要素は、リング内の他のトラクション要素と実質的に同じ半径および中心を有する。例えば、米国特許第８，０１１，１１８号（Ｇｅｒｂｅｒ）は、円形のトレッドパターンを備えたアウトソールを有する靴を開示している。円形トレッドパターンは、第１半径を有する第１円形トレッドを含み、第１円形トレッドは、円形トレッドパターンの中心の周りの円周方向に３６０度未満延在する。円形トレッドパターンは、第１円形トレッドより大きい第２半径を有する第２円形トレッドも含む。そして、第２の円形トレッドも、円形トレッドの中心の周りの円周方向に３６０度未満延在する。'１１８特許によれば、円形のトレッドパターンは、あらゆる方向に十分なトラクション力を提供するが、着用者がピボット部分の周りを旋回することも可能にする。
【００１１】
しかしながら、いくつかの従来のゴルフ靴の１つの欠点は、これらの靴がゴルフコースの芝生を損傷する可能性があることである。たとえば、トラクション部材、スパイク、およびクリートが表面に沿って引きずられ、草の葉や根に損傷を与える可能性がる。この損傷は、トレンチ効果と呼ばれる。草と根のこの裂け目は、パッティンググリーンや他のコースの表面をでこぼこにする。比較的高い表面と低い表面があり、これは芝の変色と褐変につながる。地面への食い込みと、靴のアウトソールによる芝の溝は、ゲームのすべての段階でゴルファーに問題を引き起こす。たとえば、芝生のトレンチは、ゴルファーがティーからボールを打ったり、フェアウェイでショットをしたり、グリーンでパッティングしたり、さらには、コースを歩いているときにも影響を与える可能性がある。ゴルファーが注意を払っていても、歩くときやパッティングするときにグリーンにダメージを与える可能性がある。特に、パッティンググリーンが濡れている場合、これは問題である。草と土に溝を掘ることにより、靴の全体的な柔軟性と旋回動作が遅くなる可能性がある。また、アウトソールでの芝の掘り起こしと詰まりにより、ゴルファーはショットをするためにコースを歩いたりクラブをスイングしたりするときに、気まずく不快に感じることがある。トラクション部材およびクリートがアウトソール全体に直線状に配置されている場合、以下でさらに詳しく説明するように、この芝トレンチ効果は９０度と０度の両方向に発生する。他方、クリートが重複する円形パターンで配置されている場合（ダブルラジアル構成）、９０度の方向には芝のトレンチがほとんどない傾向があるけれども、０度の方向には芝のトレンチがより多くある。さらに別の実施例では、クリートが同心円パターンに配置されると、以下でさらに詳細に説明するように、回転方向を含むさまざまな方向にトレンチができる可能性がある。
【００１２】
したがって、高レベルの安定性とトラクション力を提供できる改良されたアウトソールを有するゴルフ靴が必要である。靴は、ゴルファーの足部の内側サイドと外側サイドを保持し、支える必要がある。これはゴルファーが、ゴルフショットを行うときに体重を移動させるからである。靴は滑りがなく、ゴルファーのバランスを保つことができるように、優れたトラクション力を提供する必要がある。同時に、靴のアウトソールには最小限の芝トレンチ特性が必要である。靴を履いたゴルファーは、コースの芝生へのダメージを最小限に抑えて、快適に歩き、コースをプレーできなければならない。この発明は、ゴルファーに改善されたトラクション力を提供するとともに、最小限の芝トレンチ特性を含む他の有益な特性、特徴、および利点を提供する、新しい、ゴルフ靴構造を提供する。
【先行技術文献】
【特許文献】
【００１３】
【特許文献１】米国特許第８，６７７，６５７号明細書
【特許文献２】米国特許第７，８９５，７７３号明細書
【特許文献３】米国特許第４，７８２，６０４号明細書
【特許文献４】米国特許第９，３３２，８０３号明細書
【特許文献５】米国特許第８，０１１，１１８号明細書
【発明の開示】
【００１４】
この発明は、種々のゾーンのタイルを有するアウトソールを具備するゴルフ靴を提供する。各ゾーンは、ゴルフコースとゴルフコース外の両方の表面をグリップするための種々のトラクション部材を含む。トラクション部材は、溝のないパターンでアウトソールに配置される。トラクション部材とアウトソール上のトラクション部材の独特のパターンは、高いトラクション力と最小限の芝トレンチ特性とを靴に提供するのを支援する。このアウトソールは、パッティンググリーンやクラブハウスの床など他の表面への損傷をさらに最小限に抑える。この靴は、一定量のトラクションに対してゴルフコースの損傷を軽減する。
【００１５】
靴は、アッパー部分およびソール部分を、当該アッパーをアウトソールに結合するミッドソールとともに含む。アウトソールの底面を見ると、アウトソールは、互いに交差する複数組の螺旋状経路を含む。たとえば、１組の螺旋状経路は組Ａと呼ばれ；他の組の螺旋状経路は組Ｂと呼ばれる。組Ａの各螺旋状経路は、共通の原点を持ち、その点から放射状に広がる複数の螺旋状セグメントを含む。組Ａの各螺旋状セグメントの曲率は異なる。組Ａの螺旋状経路と同様に、組Ｂの各螺旋状経路は共通の原点を持ち、その点から放射状に広がる複数の螺旋状セグメントを含む。組Ｂの各螺旋状セグメントの曲率も異なる。第１組の螺旋状経路（Ａ）は対数型（ｌｏｇａｒｉｔｈｍｉｃ）または標準型（ｎｏｒｍａｌ）であり、第２組の螺旋状経路（Ｂ）は第１組（Ａ）の反転である。したがって、これら組の螺旋状経路（Ａ）および（Ｂ）は互いに重ね合わせることができる。組（Ａ）および組（Ｂ）の螺旋状経路が互いに重ね合わされるとき、組Ａの螺旋状セグメントの湾曲したサブセグメントと組みＢの螺旋状セグメントの湾曲したサブセグメントがつなぎ合わされて、四辺タイルピースが形成される。これら組の螺旋状経路（Ａ）および（Ｂ）の交点がこれらタイルピースの４つの角を形成する。この発明のアウトソールでは、これらのタイルピースは突出するトラクション部材を含む。
【００１６】
例えば、右靴のアウトソールを見ると、アウトソールの前方足部領域は、当該前方足部領域の１つの周囲に沿って延びる第１（外側、ｌａｔｅｒａｌ）ゾーンの、突出トラクション部材を含むタイルを含む。外側ゾーンのこれらトラクション部材は、主にゴルフ特有のトラクションに使用され、すなわち、これらのトラクション部材は、前方足部の外側方向トラクションを制御するのを支援し、ゴルフショット中に足が滑るのを防ぐのを支援する。第３（内側、ｍｅｄｉａｌ）ゾーンのタイルは、前方足部領域の反対側周囲に沿って伸びる突出トラクション部材を含む。内側ゾーンのこれらのトラクション部材は、接触面積が大きく、硬く、濡れた、滑らかな表面での滑りを防ぐ。すべてのトラクション部材は、その特定のゾーン内の所定量のトラクション部材材料（ゴムなど）を、地面と最大限に接触させる。突出トラクション部材を含む第２（中間）のゾーンのタイルは、第１ゾーンと第３ゾーンの間に配置される。中間ゾーンのこれらのトラクション部材は、隣接する外側および内側ゾーンのトラクション部材よりも比較的柔らかく、より柔軟である。これらのトラクション部材は、快適さを提供し、中間（第２の）ゾーンからソールの周辺へ、つまり外側（第１の）ゾーンおよび内側（第３の）ゾーンに向かって圧力を分散する傾向がある。したがって、中間ゾーンは、ソールの中央にかかる圧力を緩和し、それをソールの外側および内側に押す快適ゾーンとして機能する。以下でさらに説明するように、外側および内側ゾーンのトラクション部材のパターンは、硬い表面と柔らかい表面の両方で改善されたトラクション力を提供する。１つの好ましい実施例において、トラクション部材はゴム材料から作られ、すべてのゾーンのトラクション部材は、使用されるゴム材料の体積当たり最大の把持力を提供する。アウトソールの中央足部と後方足部には、以下でさらに説明するように、同様のゾーンとトラクション部材が含まれる。
【００１７】
螺旋状経路に重ねられた中心点を有する楕円形パターン（ＯＶ１）があっても良く、楕円形パターン（ＯＶ１）の中心点および第１組の螺旋状経路（Ａ）の原点は同一の固定点であり、各螺旋状経路の第１セグメントは近位端および遠位端を有し、楕円パターンは第１セグメントの遠位端と交差する。螺旋状経路に重ねられた中心点を有する楕円形パターン（ＯＶ２）があっても良く、楕円形パターン（ＯＶ２）の中心点および第２組の螺旋状経路（Ｂ）の原点は同一の固定点であり、各螺旋状経路の第２セグメントは近位端および遠位端を有し、当該楕円パターンは第２セグメントの遠位端と交差する。
【図面の簡単な説明】
【００１８】
この発明の特徴である新規の特徴は、添付の特許請求の範囲に記載されている。しかし、この発明の好ましい実施例は、さらなる目的および付随する利点とともに、添付の図面と関連して以下の詳細な説明を参照することにより最もよく理解される。
【図１】アウトソールを詳細に示す、この発明のゴルフ靴の一実施例の斜視図である。
【図１Ａ】アッパーを詳細に示す、この発明のゴルフ靴の一実施例の内側側面図である。
【図２Ａ】この発明のゴルフ靴の一実施例のための第１組の対数型（標準）螺旋状経路（Ａ）の平面図である。
【図２Ｂ】第２組の対数型（反転）螺旋状経路の平面図であり、図２Ａに示す第１組の対数型（標準）螺旋状経路の反転である。
【図２Ｃ】図２Ａに示される第１組の対数型（標準）螺旋状経路に重ねられる図２Ｂに示される第２組のセット（Ｂ）の対数型（反転）螺旋状経路の平面図である。
【図３Ａ】図２Ａに示される第１組の対数型（標準）螺旋状経路（Ａ）を、この経路上に横たわる楕円パターン（ＯＶ１）および楕円パターン（ＯＶ２）とともに示す平面図であり、これらの楕円パターンが説明のみを目的としており、靴のアウトソールに目に見えるマークやしるしとして表示されないことを理解されたい。
【図３Ｂ】図２Ｃに示される第１組の対数型（標準）螺旋状経路（Ａ）および第２組の対数型（反転）螺旋状経路の第２セット（Ｂ）の重ね合わせ、これら重ね合わされた螺旋状経路上に横たわる楕円パターン（ＯＶ１）および楕円パターン（ＯＶ２）とともに示す平面図であり、これらの楕円パターンは説明のみを目的としており、靴のアウトソールに目に見えるマークや印として表示されないことを理解されたい。
【図４Ａ】第１組の対数型（標準）螺旋状経路（Ａ）の平面図であり、種々の螺旋状経路セグメントを含む螺旋状経路を示し、螺旋セグメントの長さは成長因子によって増加する。
【図４Ｂ】図４Ａに示される螺旋状経路セグメントの長さ、およびその成長因子を示す表１である。
【図４Ｃ】図４Ｃは、図４Ａに示される螺旋状経路セグメントの長さ、および幾何学的方程式におけるそれぞれの成長因子を示す表２である。
【図５Ａ】種々の螺旋状経路セグメントを含む螺旋状経路を示す第１組の対数型（標準）螺旋状経路の第２の例の平面図であり、螺旋セグメントの長さは成長因子によって増加する。
【図５Ｂ】図５Ａに示される螺旋状経路セグメントの長さおよびそれぞれの成長因子を示す表３である。
【図５Ｃ】図５Ａに示される螺旋状経路セグメントの長さ、および幾何学的方程式のそれぞれの成長因子を示す表４である。
【図６Ａ】この発明のアウトソールの一例の底面図であり、アウトソールのアーチ領域における螺旋状経路の起点を示す。
【図６Ｂ】この発明のアウトソールの一例の底面図であり、アウトソールの中央の中央足部領域における螺旋状経路の原点を示す。
【図６Ｃ】この発明のアウトソールの一例の底面図であり、アウトソールの外側の中央足部領域の外の螺旋状経路の原点を示している。
【図６Ｄ】この発明のアウトソールの一例の底面図であり、アウトソールの中央の中央足部領域における螺旋状経路の原点を示し、螺旋状経路は図６Ａ〜図６Ｃにおいて示された螺旋状経路よりも小さい縮尺である。
【図７】図６Ａに示すアウトソールの拡大図であり、螺旋状経路の焦点はアウトソールのアーチ領域において内側サイドにある。
【図８】種々のトラクション部材を含むタイルを示す、この発明のアウトソールの一例の底面図であり、タイルはアウトソールにおいて種々のゾーンに配置される。
【図９】図８のアウトソールに示されたトラクション部材の一例の斜視図である。
【図９Ａ】図９のトラクション部材の線Ａ−Ａ'に沿う断面図である。
【図１０】図８のアウトソールに示されたトラクション部材の第２の例の斜視図である。
【図１０Ａ】図１０のトラクション部材の線Ａ−Ａ'に沿う断面図である。
【図１１】図８のアウトソールに示されたトラクション部材の第３の例の斜視図である。
【図１１Ａ】図１１のトラクション部材の線Ａ−Ａ'に沿う断面図である。
【図１２】従来技術のアウトソールの底面図であり、トラクション部材は、チャネルを備えた線形構成で配置され、芝トレンチ効果が９０度および０度方向で生じることを示す。
【図１３】従来技術のアウトソールの底面図であり、トラクション部材は、溝を備えた二重ラジアル構成で配置され、芝トレンチ効果が９０度および０度方向で生じることを示す。
【図１４】従来技術のアウトソールの底面図であり、トラクション部材は、溝を備えた円形構成に配置されており、回転方向を含むさまざまな方向で芝トレンチ効果が発生することを示す。
【図１５】従来技術のアウトソールの底面図であり、トラクション部材は、溝を備えた単一の対数型螺旋構成に配置されており、９０度および０度の方向で芝トレンチ効果が発生することを示す。
【図１６】この発明のアウトソールの一例の底面図であり、トラクション部材は、溝のない種々の弧状経路に配置され、芝トレンチ効果がないことを示している。
【図１７Ａ】図１６のアウトソールに見られる部材とは異なるタイプのトラクション部材を含む、この発明のアウトソールの第２の例の底面図である。ただし、これらの部材は、溝および芝トレンチ効果のない同様の構成で配置されている。
【図１７Ｂ】この発明のアウトソールの第３の例の底面図であり、図１６および図１７Ａのアウトソールに見られる部材とは異なるタイプのトラクション部材を含む。ただし、これらの部材は、溝および芝トレンチ効果のない同様の構成で配置されている。
【発明を実施するための形態】
【００１９】
図面を参照すると、同様の参照番号が同様の要素を指定するために使用され、特に図１を参照すると、この発明のゴルフ靴（１０）の一実施例が示されている。靴（１０）は、アッパー部分（１２）およびアウトソール部分（１６）を、当該アッパー部分（１２）を当該アウトソール部分（１６）に結合するミッドソール（１４）とともに含む。図に示されている面は右の靴のものであり、左の靴のコンポーネントは右の靴の鏡像になる。靴は様々なサイズで作られて良く、したがって、靴の構成要素のサイズは靴のサイズに応じて調整されて良いことに留意されたい。
【００２０】
アッパー（１２）は、伝統的な形状を有し、例えば、天然皮革、合成皮革、不織布材料、天然布地、および合成布地などの標準的なアッパー材料から作られている。例えば、ナイロン、ポリエステル、ポリオレフィン、ポリウレタン、ゴム、およびそれらの組み合わせから作られた通気性、メッシュ製の合成繊維織物を使用することができる。アッパーの構築に使用される材料は、通気性、耐久性、柔軟性、快適性などの望ましい特性に基づいて選択される。好ましい一例において、アッパー（１２）はメッシュ材料で作られている。アッパー材料は縫い合わされるか、接着されてアッパー構造を形成する。図１Ａを参照すると、アッパー（１２）は、全般的に、足を挿入するための開口部（２０）を備えた甲（インステップ）領域（１８）を含む。アッパーは、足部の前方部分を覆うためのバンプ（１９）を含む。甲領域は、舌部材（２２）と、アッパーのクォーターセクション（２３）を覆い、ヒール領域のフォックシング（２９）に取り付けられたサドルストリップ（２１）とを含む。アッパー（１２）は、甲領域（１８）の後部領域から延びる任意のギリー（ｇｈｉｌｌｅ）ストリップ（３１）を含んで良い。通常、足の輪郭に沿って靴を締めるために、レース（２４）が使用される。ただし、他の締め付けシステムを使用して良く、これは、金属ケーブル（レース）アセンブリを含み、これはダイヤル、スプール、および、ケーブルを所定の位置にロックするためのロック機構を具備する。そのようなレース締め付けアセンブリは、コロラド州８０２１６、デンバーのＢｏａ  Ｔｅｃｈｎｏｌｏｇｙ社から入手可能である。図１および図１Ａに示す上述のアッパー（１２）は、この発明の靴構造に使用できるアッパーデザインの一例を示しているにすぎず、この発明の精神および範囲から逸脱することなく他のアッパーデザインを使用することができる。
【００２１】
ミッドソール（１４）は比較的軽量であり、靴にクッション性を提供する。ミッドソール（１４）は、例えば、発泡エチレン酢酸ビニル共重合体（ＥＶＡ）またはポリウレタンなどの標準的なミッドソール材料から作ることができる。１つの製造プロセスでは、ミッドソール（１４）がアウトソール上およびその周りに成形される。代替的には、ミッドソール（１４）を別個の部品として成形し、次いで、当技術分野で知られている標準技術を使用して、ステッチ、接着剤、または他の適切な手段によってアウトソール（１６）の上面（図示せず）に接合することができる。例えば、ミッドソール（１４）を熱プレスして、アウトソール（１６）の上面に接着することができる。
【００２２】
全般的には、アウトソール（１６）は、靴に安定性とトラクションを提供するように設計されている。アウトソール（１６）の底面（２７）は、靴とコース上と草との間にトラクションを提供するのに役立つ複数のトラクション部材（２５）を含む。アウトソールの底面およびトラクション部材は、ゴムまたはプラスチックおよびそれらの組み合わせなどの任意の適切な材料で作ることができる。ナイロン、ポリエステル、ポリオレフィン、ポリウレタンなどの熱可塑性樹脂を使用できる。使用できる適切なゴム材料は、これに限定されないが、ポリブタジエン、ポリイソプレン、エチレンプロピレンゴム（「ＥＰＲ」）、エチレンプロピレンジエン（「ＥＰＤＭ」）ゴム、スチレンブタジエンゴム、スチレンブロック共重合体ゴム（「ＳＩ」、「ＳＩＳ」、「ＳＢ」、「ＳＢＳ」、「ＳＩＢＳ」、「ＳＥＢＳ」、「ＳＥＰＳ」など。「Ｓ」はスチレン、「Ｉ」はイソブチレン、「Ｅ」はエチレンであり、「Ｐ」はプロピレンであり、「Ｂ」はブタジエンである）、ポリアルケナマー、ブチルゴム、ニトリルゴム、およびそれらの２つ以上のブレンドを含む。この発明のアウトソール（１６）の構造および機能は、以下にさらに詳細に説明される。
【００２３】
図２Ａにおいて、第１組の螺旋状経路（Ａ）が示されている。各螺旋状経路（３０）は、共通の原点（３２）を有し、その原点（３２）から放射する複数の螺旋状セグメント（例えば、Ａ１、Ａ２、およびＡ３）を含む。各セグメント（Ａ１、Ａ２、およびＡ３）の曲率は異なる。図２Ｂを参照すると、第２組の螺旋状経路（Ｂ）が示されている。組（Ａ）の螺旋状経路と同様に、組（Ｂ）の各螺旋状経路（３４）は共通の原点（３６）を持ち、その原点（３６）から放射する複数の螺旋状セグメント（たとえば、Ｂ１、Ｂ２、およびＢ３）を含む。各セグメント（Ｂ１、Ｂ２、およびＢ３）の曲率は異なる。第１組の螺旋状経路（Ａ）は対数型または標準型であり、第２組の螺旋状経路（Ｂ）は第１組（Ａ）の反転である。したがって、これらの組の螺旋状経路（Ａ）および（Ｂ）は、図２Ｃに示されるように互いに重ね合わすことができる。
【００２４】
組（Ａ）および組（Ｂ）の螺旋状経路が互いに重ね合わされると、組Ａからの螺旋セグメントの湾曲したサブセグメントと組Ｂからの螺旋セグメントの湾曲したサブセグメントがつなぎ合わされて四辺タイル片を作成する。図２Ｃにおいて、螺旋状のサブセグメント辺（３３、３５、３７、および３９）を有する４辺タイルが示される。重ね合わされる組の螺旋状経路（Ａ）および（Ｂ）の間の交点は、これらのタイル片の角を形成する。この発明の靴において、これらのタイル片はアウトソール上に配置され、突出トラクション部材を含み、これらは以下にさらに詳細に説明される。
【００２５】
螺旋状経路の幾何学的形状は、図３Ａにさらに詳細に示されている。この図において、第１組の対数型（標準）螺旋状経路（Ａ）（図２Ａ）は、種々の螺旋状経路と交差する楕円形パターン（ＯＶ１）および楕円形パターン（ＯＶ２）を含む。本明細書では、楕円形パターン（ＯＶ１およびＯＶ２）を使用して、螺旋状経路（ＡおよびＢ）をさらに説明し、これは例示のみを目的としていることを理解されたい。楕円形パターン（ＯＶ１およびＯＶ２）は、靴のアウトソールに目に見えるマークや印として表れない。より詳細には、楕円形パターン（ＯＶ１）は中心点（４０）を有し、図３Ａに示すように、楕円形パターン（ＯＶ１）の中心点（４０）と螺旋状経路（Ａ）の第１セグメント（Ａ１）の原点（３２）は同じ固定点である。各螺旋状経路（Ａ）の第１セグメント（Ａ１）も、近位端（４２）および遠位端（４４）を具備する。楕円形パターン（ＯＶ１）は、螺旋状経路（Ａ）の第１セグメント（Ａ１）の遠位端（４４）と交差する。
【００２６】
図３Ａにおいてさらに示されるように、同じ中心点（４０）を有する楕円形パターン（ＯＶ２）も螺旋状経路（Ａ）の上に横たわっている。楕円形パターン（ＯＶ２）の中心点と、螺旋状経路（Ａ）の第２セグメント（Ａ２）の原点（３２）は、同じ固定点である。各螺旋状経路（Ｂ）の第２セグメント（Ａ２）は、近位端（４６）と遠位端（４８）も具備する。楕円形パターン（ＯＶ２）は、螺旋状経路（Ａ）の第２セグメント（Ａ２）の遠位端（４８）と交差する。
【００２７】
第１組の対数型（標準）螺旋状経路（Ａ）および第２組の対数型（反転）螺旋状経路（Ｂ）は、図２Ｃに示されるように互いに重ね合わされ、覆って交差する楕円形パターン（ＯＶ１およびＯＶ２）とともに示されるけれども、これは図２の例示を目的とするものである。これらパターン内の螺旋状経路の数や、所定の螺旋状経路内の螺旋状セグメントの数は制約がないことに留意されたい。図３Ａおよび３Ｂにおいて、説明のために３つの螺旋状セグメント（Ａ１、Ａ２、およびＡ３）を含む螺旋状経路が示されているけれども、限定されない数のセグメントが存在して良く、これらのセグメントは以下でさらに説明するように任意の寸法に縮拡できる。
【００２８】
図４Ａ〜４Ｃを参照すると、螺旋状経路を含むいくつかの例示的な螺旋状セグメントの経路長がより詳細に示されている。図４Ａにおいて、第１組の対数型（標準）の螺旋状経路（Ａ）の一例が示され、螺旋状経路は複数の螺旋状セグメントを含む。螺旋状経路セグメントの長さは、一定の成長因子によって増加する。具体的には、この例では、螺旋状経路（５０）は第１の螺旋状セグメント（Ａ１）；第２の螺旋状セグメント（Ａ２）；第３の螺旋状セグメント（Ａ３）；第４の螺旋状セグメント（Ａ４）；第５の螺旋状セグメント（Ａ５）；および第６の螺旋状セグメント（Ａ６）を有する。これら螺旋状セグメントは、螺旋状経路の全体に沿って一定の成長因子によって増加する。たとえば、螺旋状セグメントＡ１の長さが０．４インチの場合、螺旋状セグメントＡ２の長さは０．６インチであり、螺旋状セグメントＡ３の長さは１インチで、成長因子は１．６である。種々のセグメントの当該成長因子は、図４Ｂの表１に示すように、螺旋状経路が成長し続けている間、同一である。つまり、成長因子は、螺旋状経路の全体を通して一貫したままである（たとえば、成長因子は１．６になって良い）。成長因子のこの例は、図４Ｃの表２に示されるような幾何学的方程式で表現することができる。図４Ａ〜４Ｃに示すように、複数の螺旋状セグメントが存在して良く、螺旋状経路の種々のセグメントと交差する複数の楕円パターンが存在して良い。
【００２９】
図５Ａ〜５Ｃにおいて、異なる成長因子を有する複数の螺旋状経路セグメント（Ａ１、Ａ２、Ａ３、Ａ４、Ａ５、およびＡ６）を含む螺旋状経路の別の例が示されている。この例において、螺旋状セグメントＡ１の長さは０．２９インチであり、螺旋状セグメントＡ２の長さは０．４５インチであり、螺旋状セグメントＡ３の長さは０．７５インチであり、成長因子は１．６１である。図５Ｂの表３に示されるように、種々のセグメントの成長因子は、螺旋状経路が成長し、外側に伸びる際に同一である。つまり、成長因子は螺旋状経路全体で一貫したままである（この例では、成長因子は１．６１である）。この成長因子は、図５Ｃの表４に示されるような幾何学的方程式で表現することができる。したがって、螺旋状経路の成長は、有機的で乱れがなく、図４Ａ〜４Ｃおよび図５Ａ〜５Ｃの例に示すように数学的な方程式で表現することができる。螺旋状経路は、靴のアウトソールに自然でオーガニックな外観を実現する。
【００３０】
螺旋状経路の原点は様々な場所にあって良いことに留意されたい。図６Ａ〜６Ｄを参照すると、上述のように互いに重ねられた螺旋状経路を含む右靴のアウトソール（６４）が示されている。図６Ａにおいて、螺旋状経路（５４）の原点（５２）はアウトソールのアーチ領域（５６）に示されている。図６Ｂにおいて、螺旋状経路（５４）の原点（５８）はアウトソールの中央の中間足部領域に示されている。図６Ｃにおいて、螺旋状経路（５４）の原点は、アウトソールの中間足部領域の外側（小指側）エッジ（６０）の外側にある。そして、図６Ｄにおいて、原点（６２）がアウトソールの中央の中間足部領域に示されており、螺旋状セグメントおよび螺旋状経路の長さが小型化されている（６６）。図６Ｄに示される螺旋状セグメントおよび螺旋状経路は、図６Ａ〜６Ｃに示される螺旋状セグメントおよび螺旋状経路よりもはるかに小さい規模である。
【００３１】
図７を参照すると、図６Ａのアウトソールがより詳細に示され、このアウトソールでは、螺旋状経路（５４）の焦点（５２）がアウトソールの内側（親指側）にあり、アーチ領域にある。ここで、種々の弧状経路（５４）の間の交点（６８）および四辺タイル片（７０）の生成がより詳細に示されている。螺旋状セグメントの湾曲したサブセグメント（７２、７３、７４、７５）は、靴のアウトソール上に実質的に四辺タイル片（７０）を作成するために一緒につなぎ合わされている。重ね合わされた組の螺旋状経路（Ａ）および（Ｂ）の交点は、これらのタイル片の角を形成する（たとえば、角は７６、７７、７８、７９として見出せる）。これらの個々のタイル片（７０）は、以下にさらに説明するように、種々のトラクション部材（図７には示されていない）を含む。
【００３２】
上述のように、一例において、アウトソールは、存峰足部領域の内側（親指側）に中心点を有し、全体的に長さ方向に当該前方足部領域に沿って伸びる第１組の弧状経路を有する。各弧状経路の半径は、弧が前方足部領域に沿って伸びるにつれて中心点から増加する。第２組の弧状経路は、前方足部領域の後端に中心点を有し、前方足部領域に沿ってほぼ横断方向に延びる。  各弧状経路の半径は、弧が前方足部領域に沿って伸びるにつれて中心点から増加する。
【００３３】
第１および第２の弧状経路が互いに重ね合わされるとき、四辺タイル片が前方足部領域の表面に形成される。一実施例において、第１および第２の弧状経路は、前方足部領域に限定でき、半径を変化させ、交点を伴う。すなわち、一実施例において、前方足部領域のみが、突出するトラクション部材を備えた四辺タイル片を含むことができる。他の領域（例えば、中間足部領域および後方足部領域）は、トラクション部材を含まなくて良く、または異なる構造のトラクション部材を含んで良い。他の実施例において、さきに議論したように、アウトソール全体は、弧状経路、交点、および結果として生じる四辺タイルを含んで良い。さらに他の実施例において、前方足部領域以外のアウトソールの選択領域は、弧状経路、交点、およびタイル片を含んで良い。
【００３４】
例えば、アウトソールは、中心点を後方足部領域の内側（親指側）に位置付け、後方足部領域に沿ってほぼ長手方向に延びる第１組の弧状経路を有して良い。各弧状経路の半径は、弧が後方足部に沿って伸びるにつれて中心点から増加する。第２組の弧状経路は、中心点を後方足部領域の後端に位置付け、後方足部領域に沿ってほぼ横断方向に延びる。各弧状経路の半径は、弧が後方足部に沿って延びるにつれて中心点から増加する。第１および第２の弧状経路が互いに重ね合わされると、第１組および第２組の弧状経路の間に交点が形成される。交点は、後方足部領域の表面に四辺タイル片を形成する。
【００３５】
全般的には、足部の解剖学的構造は、３つの骨領域に分けることができる。後方足部領域は、全般的には、足首（距骨）とかかと（踵骨骨）の骨を含む。中間足部領域は、足の縦方向アーチを形成する立方体（ｃｕｂｏｉｄ）、楔形（ｃｕｎｅｉｆｏｒｍ）、および舟状（ｎａｖｉｃｕｌａｒ）骨を含む。前方足部領域は、中足骨と足の指を含む。図１に戻って参照すると、アウトソール（１６）は、トップ表面（図示せず）および底面（２７）を有する。ミッドソール（１４）はアウトソール（１６）のトップ表面に接合される。アッパー（１２）はミッドソール（１４）に接合される。
【００３６】
図８を参照すると、アウトソール（１６）は、全般的には、前方足部エリアを支持するための前方足部領域（８０）；アーチエリアを含む中間足部を支持するための中間足部領域（８２）；および、かかとエリアを含む後方足部を支持するための後方足部領域（８４）を含む。全般的には、前方足部領域（８０）は、足指および中足骨と指骨とを接続する関節に対応するアウトソール部分を含む。中間足部領域（８２）は、全般的には、足部のアーチ領域に対応するアウトソール部分を含む。後方足部領域（８４）は、全般的には、踵骨を含む足部の後方部分に対応するアウトソール部分を含む。
【００３７】
アウトソールは、外側（小指側）（８６）および内側（親指側）（８８）も含む。外側（８６）および内側（８８）は、各足部領域（８０、８２、および８４）を通って延び、アウトソールの反対側に対応する。アウトソールの外側または外側エッジ（８６）は、着用者の足の外側領域に対応する側面である。外側エッジ（８６）は、着用者の他の足から一般に最も遠い着用者の足の側面（つまり、５番目のつま先［小指］に近い側）である。アウトソールの内側または内側エッジ（８８）は、着用者の足の内側領域に対応する側面である。内側エッジ（８８）は、全般的には着用者のもう一方の足に最も近い着用者の足の側面（つまり、第一趾［足の親指］に近い側）である。
【００３８】
より具体的には、外側および内側は、アウトソールの前端（９２）から後端（９４）までアウトソール（１６）の周囲または周辺（９０）の周りに延びる。前端（９２）はつま先領域に対応するアウトソールの部分であり、後端（９４）はかかと領域に対応する部分である。アウトソールの外側または内側のエッジからアウトソールの中心領域に向かって直線方向に測定すると、周辺領域は一般に約３〜約６ｍｍの幅を有する。周辺の幅は、アウトソールの輪郭に沿って変化し、前方足部領域から中間足部領域、さらに後方足部領域（８０、８２、８４）へと変化する。
【００３９】
上述のアウトソールの領域、側面、およびエリアは、アウトソールの正確なエリアを区別することを意図したものではない。むしろ、これらの領域、側面、およびエリアは、アウトソールの一般的な領域を表すことを意図している。アッパー（１２）とミッドソール（１４）にもこのような領域、側面、およびエリアがある。各領域、側面、およびエリアは、前方セクションおよび後方セクションを含んでも良い。
【００４０】
［前方足部領域］
図８に示されるように、アウトソールの前方足部領域（８０）は、前方足部領域の周辺に沿って延びる、突出トラクション部材（９８）を含む第１（外側）ゾーンのタイル（９６）；前方足部領域の対向する周辺に沿って伸びる、突出トラクション部材（１０２）を含む第３（内側）ゾーンのタイル（１００）；および、第１ゾーンおよび第３ゾーンの間に配置された、突出トラクション部材（１０６）を含む第２（中間）ゾーンのタイル（１０４）を含む。
【００４１】
図８、９、および９Ａを参照すると、第１（外側）ゾーンのタイル（９６）のトラクション部材（９８）は、リセスエリア（１０９）および非リセスエリア（１１０）を含む三角形状のトップ表面（１０８）を備えた傾斜側面を具備し、この非リセスエリア（１１０）は地面との接触面を形成し、総接地面はタイル（７０）の全表面積に基づいて約１０〜約３５％の範囲にある。１つの好ましい実施例において、総接地面積は約１７〜約２８％の範囲にある。これらのトラクション部材（９８）は、主にゴルフ特有のトラクションに使用される。つまり、これらのトラクション部材は前方足部の横方向のトラクションを制御し、ゴルフショット中に足が滑るのを防ぐ。
【００４２】
たとえば、通常のゴルフプレー中、ゴルファーはさまざまなクラブでショットを行う。ゴルファーがショットを行うときにクラブを振って体重を移動させると、足が途方もない力を吸収する。多くの場合、右利きのゴルファーがボールに向かっているとき、彼らの右足および左足は中立位置にある。ゴルファーがバックスイングを行うと、右足が内側の前方足部およびかかとの内側領域を押し下げ、右膝が押し込まれたままの状態で、右足部が地面とトルクを発生させ、外部の足部回転に抵抗する。ショットに続いて、ゴルファーの左靴は左足部の内側（インサイド）から左足の外側（アウトサイド）に向かって転がる。その間、彼らの右の靴は前方足部に向かって同時に曲がり、かかとが持ち上がると内部で回転する。上述のように、ゴルフショットサイクルのさまざまな段階で、足部の外部に大きな圧力が加えらる。この発明において、アウトソールの第１ゾーンは、足部の側面に支持と安定性を提供するように設計されている。つまり、第１のゾーンは、アウトソールの外側（小指側）のエッジの周りを支持する。この第１のゾーンは、ゴルファーがショットを行うときに体重をシフトする際に、足部の外側（小指側）を保持し、サポートするのに役立つ。靴は、優れたトラクションと横方向の動きの制御を提供する。したがって、ゴルファーは試合のすべての段階で安定性とバランスが向上する。
【００４３】
つぎに、図８、１０、および１０Ａを参照すると、第２（中間）ゾーンのタイル（１０４）のトラクション部材（１０６）は、３つの傾斜面（１１３、１１５、１１７）を備えた三辺のピラミッド状の形状を有し、当該傾斜面はピラミッド状の基部および頂点（１１８）から延び、総接地面積は、タイル（７０）の総表面積に基づいて約５から約４０％の範囲である。１つの好ましい実施例において、総接地面積は約１２から約３３％の範囲にある。トラクション部材（１０６）の一方のエッジ（１１８）のみが地面と接触しているため、タイル（７０）の体積当たりの把持力は最大化される。これらのトラクション部材（１０６）は、快適さを提供し、中間（第２）ゾーンから靴底の周辺、すなわち外側（第１）および内側（第３）ゾーンへ圧力を分散する傾向がある。中間ゾーンのこれらのトラクション部材（１０６）は、隣接する外側および内側ゾーンのトラクション部材よりも比較的柔らかく、より柔軟である。したがって、中間ゾーンは、アウトソールの中央にかかる圧力を緩和し、それをアウトソールの外側と内側に押し付ける快適ゾーンとして機能する。また、十分な靴の圧力が加えられ、中間ゾーンのトラクション部材（１０６）がある程度圧縮され、平らにされると、地面と比較的良好に接触し、ある程度のグリップを提供する。
【００４４】
最後に、図８、１１、および１１Ａを参照すると、第３（内側）ゾーンのタイル（１００）のトラクション部材（１０２）は、２つの経書表面（１１１、１１２）を具備し、三角形状の非リセストップ表面（１１４）を伴い、これが、地面接触表面を形成し、総地面接触表面積は、タイル（７０）の総表面積に基づいて約２０〜約６０％の範囲にある。１つの好ましい実施例において、総接地面積は約２７から約５３％の範囲である。これらのトラクション部材（１０２）は、接触面積が大きく、硬くて濡れた滑らかな表面での滑りを防ぐ。トラクション部材（１０２）による最大の接触は、この第３のゾーン（１００）で維持される。トラクション部材（１０２）は、以下でさらに詳細に説明するように、人が通常の歩行サイクルに従うときに、靴から水を押し出すのにも役立つ。
【００４５】
典型的には、人が自然に歩き始めるとき、足部がわずかに仰向けになった状態で、かかとの外側部分が最初に地面に当たる。人が前方足部に体重を移すと、足部のアーチが平らになり、足部が下に押される。足部も回内位置にわずかに内側に回転し始める。場合によっては、足部が過度に内側に回転することがあり、これはタイプの歩行は、過剰回内運動と呼ばれる。他の例において、足部は十分に内向きに回転せず、これは回内不足と呼ばれる。通常の足部の圧力が下向きに加えられ、足部が通常の回内位置に動き始め、これが衝撃吸収に役立つ。足部がこのニュートラル（中間スタンス）位置に達した後、人は自分の足部の母指球を押して歩き続ける。この時点で、足は再びわずかに外側に回転する。第３（内側）ゾーンのタイルにある上述のトラクション部材は、地面との最大の接触を提供して、歩行時に人が滑ってバランスを失うのを防ぐのに特に効果的である。
【００４６】
［中間足部領域］
図８にも示されるように、アウトソールの中央足部領域（８２）は、中央足部領域に沿って延びる突出トラクション部材（１０６）を含む１ゾーンのタイル（１１６）をさらに含み、トラクション部材は三辺ピラミッド状の形状を有し、これはピラミッド状の基部および頂点（１１８）から伸びる３つの傾斜面（１１３、１１５、１１７）を持ち（図１０および１０Ａを参照）、総接地面積はタイル（７０）の総表面積に基づいて約５〜約４０％の範囲である。したがって、中間足部領域のゾーンのタイル（１１６）のトラクション部材（１０６）は、前方足部領域（８０）に位置付けられる第２（中間）ゾーン（１０４）のタイルに見出せるトラクション部材（１０６）に類似している。１つの好ましい実施例において、総接地面積は約１２から約３３％の範囲にある。上述のように、これらのトラクション部材（１０６）は快適さを提供し、中央足部領域の中央領域からアウトソールの周辺エッジに向かって圧力を分散させる傾向がある。
【００４７】
［後方足部領域］
後方足部領域（８４）および図８に移ると、この領域（８４）に見られるトラクション部材（８４）は、前方足部領域（８０）に見られるトラクション部材（８０）に類似している。ただし、後方足部領域（８４）のゾーンは、前方足部領域（８０）のゾーンに対し反転している。したがって、図８に示すように、そこには、後方足部領域（８４）の周囲に沿って延びる突出トラクション部材（１０２）を含む第１（外側）ゾーンのタイル（１２０）；後方足部領域（８４）の反対側の周辺（内側）に沿って伸びる突出トラクション部材（９８）を含む第３（内側）ゾーンのタイル（１２２）；および、後方足部の第１ゾーンおよび第３ゾーンのタイル（１２０、１２２）の間に配置される突出トラクション部材（１０６）を含む第２（中間）ゾーンのタイル（１２４）がある。
【００４８】
第１に、後方足部の第１（外側）ゾーンのタイル（１２０）のトラクション部材（１０２）は、傾斜側面（１１１、１１２）を有し、地面接触表面を形成する三角形状の形状の非リセス表面（１１４）を伴い（図１１および図１１Ａを参照）、総地面接触表面積は、タイル（７０）の総表面積に基づいて約２０〜約６０％の範囲にある。したがって、後方足部の第１（外側）ゾーンのタイル（１２０）のトラクション部材（１０２）は、前方足部領域（８０）に居続けられる第３（内側）ゾーンのタイル（１００）に見出せるトラクション部材（１０２）に類似している。先に検討したように、これらのトラクション部材（１０２）は、高い接触表面積を提供して、硬くて濡れた滑らかな表面での滑りを防ぐ。さらに、トラクション部材の水平に面する側壁は、ゴルファーがゴルフコースの斜面を下向きに歩いているときに滑るのを防ぐのに役立つ。トラクション部材（１０２）による最大の接触は、この後方足部の第１（外側）のゾーンのタイル（１２０）、および、前方足部の第３（内側）のゾーンのタイル（１００）において維持される。
【００４９】
他方、図８にも示されるように、タイル（１２４）の後方足部の第２（中間）ゾーンのタイル（１２４）のトラクション部材（１０６）は、ピラミッド状の基部から延びる３つの傾斜面（１１３、１１５、１１７）および頂点（１１８）を伴う、三辺ポリミッド状の形状を具備し（図１０および図１０Ａを参照）、総接地面積は、タイル（７０）の総表面積に基づいて約５〜約４０％の範囲にある。したがって、後方足部の第２（中間）ゾーンのタイル（１２４）のトラクション部材（１０６）は、前方足部領域（８０）に位置付けられる第２（中間）ゾーンのタイル（１０４）に見られるトラクション部材（１０６）に類似している。先に検討したように、これらのトラクション部材（１０６）は快適さを提供し、後方足部領域の中央ゾーンからソールの周辺へ圧力を分散する傾向がある。
【００５０】
最後に、図８において、後方足部の第３（内側）ゾーンのタイル（１２２）の牽引部材（９８）は、リセス領域（１０９）および非リセス領域（１１０）を含む三角形のトップ表面（１０８）を具備し、この非リセス領域は地面との接触面を形成し（図９および９Ａを参照）、地面の総接触面積は、タイル（７０）の総表面積に基づいて約１０〜約３５％の範囲である。先に検討したように、これらのトラクション部材（９８）は主にゴルフ特有のトラクションに使用される。つまり、これらのトラクション部材は前方足部および後方足部の横方向のトラクションを制御し、プレー中の足の滑りを防ぐ。
【００５１】
この発明のアウトソールの上述のトラクションゾーンは、すべての表面において改善されたトラクション力を提供するのに役立つ。さらに、これらの靴は、提供されるトラクションの量ごとに芝トレンチが減るため、ゴルフコースでの使用に最適である。この発明の靴は、コースの芝、特にパッティンググリーンの損傷を防ぐのに役立つ。対照的に、多くの先行技術のゴルフ靴は、線形または二重ラジアル構成に配置されたトラクション部材を含む。これらの従来の溝付きアウトソール構造は、トラクション部材の総貫通面積あたりのトラクション力が低くなる。そして、これはトラクションの量ごとにより多くの芝の損傷をもたらす可能性がある。さらに、これらの従来の靴のアウトソールは、すべての表面で良好なトラクションを持たない場合がある。そのような溝付きアウトソールは、コース上に生じる損傷に対して最適なトラクション力を提供できない。図１２に示すように、トラクション部材（１３０）および溝（１３２）を直線構成（アウトソールの長手方向長さに沿った横列）に含む従来技術のアウトソールのこの芝トレンチ効果は、９０度（矢印Ｃ?９０°）および０度（矢印Ｃ−０°）の方向の両方で顕著に生じる。つぎに、図１３に示すように、先行技術のアウトソール上に重なり合う円形パターン（１３６、１３８）（二重ラジアル構成）に配置されたトラクション部材（１３４）を用いると、９０度方向に低い芝トレンチがあり得るが（矢印Ｄ?９０°）、０度の方向への顕著な芝トレンチがある（矢印Ｄ−０°）。図１４を参照すると、同心円パターンに配置されたトラクション部材（１４０）を用いる場合、この幾何学的構成には依然として溝があり、様々な方向にトレンチがあり得る。たとえば、直線方向にトレンチが生じ得（矢印Ｄ−ｘ°）、また回転方向にトレンチが生じ得る（矢印Ｄ−ｙ°）。したがって、図１４に示されるように、トレンチは、線形パターンと弧状パターンの両方で起こり得る。図１５に示すように、先行技術のアウトソールのさらに別の例では、トラクション部材（１４０）は、単一の対数型螺旋状に配置することができ、溝が依然として形成される。この幾何学的構成では、９０度（矢印Ｄ−９０°）方向と０度（矢印Ｄ−０°）方向の両方で顕著にトレンチが発生する。
【００５２】
より具体的には、図１２に示すように、トラクション部材（１３０）が同一線上パターンに配置され、部材間に近接がある場合、これは芝トレンチを生じさせる傾向がある。第二に、図１２のアウトソール構造は、トラクション部材が配置されていない線形チャネル（１３２）を含み、これらのチャネル領域は牽引を提供しない。芝トレンチは芝への集中的な損傷を引き起こすけれども、トラクション力が悪いと芝への損傷はない。しかし、芝トレンチと都連区ションの特性は関連している。靴が滑り、あるトラクション部材が隣接するトラクション部材の位置に達すると、トラクション部材が弱体化または損傷した芝を突き抜けるため、トラクション力が低下する。同じ芝を通る複数のトラクション部材のこの滑りは、芝トレンチを引き起こす。その間、線形チャネルはトラクション力を提供しない。これらの線形チャネルにはトラクション部材が含まれていないため、アウトソール（ゴム素材など）は地面に直接接触し、グリップ力はない。
【００５３】
この発明において、図１６に示し、また先に検討したように、アウトソールのトラクション部材（１４０）は偏心構成で配置され、各隣接トラクション部材は所定の回転中心から異なる半径位置に配置される。これにより、すべての表面で靴のトラクションが向上する。チャネリングが発生せず、提供されるトラクションの量に対して芝トレンチがほとんど、または、まったく生じない。この発明のアウトソールは、芝トレンチを生じさせる可能性のある密接した間隔を置いたトラクション部材を備えた線形チャネル構成を有していない。むしろ、この発明の靴のアウトソールは、アウトソール内のトラクション部材の数を考慮して最適なトラクション力を提供するトラクション部材を有する。つまり、これらのアウトソールは、一定量のトラクションでゴルフコースに与えるダメージが少なくなる。
【００５４】
この発明の靴の別の利点は、ゴルフコース以外の活動に従事するときに着用できることである。たとえば、靴は、クラブハウス、オフィス、自宅、その他の普通の場所で、カジュアルな「コース外」の靴として着用できる。すべてのフローリングおよびその他の表面で、アウトソール構造は、提供されるトラクション力の量に対して、トラクション部材の体積あたり高いトラクション力を有している。さらに、靴は軽量で快適であるため、歩行中や他のアクティビティで簡単に着用できる。たとえば、テニス、スカッシュ、ラケットボール、ストリートホッケー、ソフトボール、サッカー、サッカー、ラグビー、セーリングなどのレクリエーションスポーツをしているときに靴を履くことがでる。したがって、多くの種々の表面で多くの種々の活動に従事するときにこの靴を着用することができる。この靴は、硬い表面と柔らかい表面の両方で独自のトラクションとグリップ力を提供する。
【００５５】
全般的に、上述のアウトソールは、（ａ）トラクション部材を具備する第１、第２（中間）および第３ゾーンのタイルを含む前方足部領域；（ｂ）トラクション部材を具備する１つのゾーンのタイルを含む中央足部領域；おより（ｃ）トラクション部材を具備する第１、第２（中間）、および第３ゾーンのタイルを含む後方足部領域を含み、このアウトソールは、この発明の靴構造に利用できるアウトソールの一例のみを示すことに留意されたい。先に検討したように、外側、内側、および中央ゾーンのトラクション部材の独自のパターンは、硬い表面と柔らかい表面の両方で改善されたトラクション力を提供する。トラクション部材のこの幾何学的構成は、トラクション部材の体積当たりの高いトラクション力と、提供されたトラクション量に対する最小限の芝トレンチ特性を靴に提供するのに役立つ。しかしながら、この発明の精神および範囲から逸脱することなく、トラクション部材の他のパターンを使用できることに留意されたい。
【００５６】
さらに、アウトソールに配置されたトラクション部材は、上述の形状とは異なる形状を有して、トラクション部材の数に応じて最適なトラクション力を実現することができる。すなわち、アウトソールは多種多様なトラクション部材を含むことができるため、特定の表面のグリップ力が最大化され、実現されるトラクション量に対してその表面の損傷が少なくなる。トラクション部材は、これに限定されないが、例えば、環状、長方形、三角形、正方形、球形、楕円形、星形、ダイアモンド、ピラミッド、矢印、円錐形、ブレード状、および棒形状を含む多くの種々の形状を有することができる。また、アウトソール上の所定のタイルあたりのトラクション部材の高さと面積、およびトラクション部材の体積は、必要に応じて調整できる。先に検討したように、これらの種々の形状のトラクション部材は、溝のないパターンでアウトソールに配置される。種々の牽引部材と、溝のないアウトソール上の独特のパターンは、高いトラクション力と低い芝トレンチ特性を持つ靴を実現するのに役立つ。
【００５７】
例えば、図１７ａおよび１７ｂを参照すると、種々の組のトラクション部材を有する２つのアウトソール構造（１４２ａ、１４２ｂ）が示されている。図１７ａにおいて、アウトソール構造（１４２ａ）は、サッカーピッチ、ラクロス、ラグビー、サッカー場などの柔らかい表面上で良好なトラクション力を提供するために特別に設計された１組のトレクション部材（１４４）を具備する。これらのトラクション部材（１４４）は、コース上で高レベルの安定性とトラクション力を提供するための特定の形状と寸法を具備している。このアウトソール構造は、ゴルファーがゴルフショットを行うときに体重をシフトする際に、ゴルファーの足の内側と外側を保持および支持を行うのに役立つ。この靴のアウトソール（１４２ａ）は優れたトラクションを提供するため、滑りがなく、ゴルファーはバランスを保つことができる。
【００５８】
図１７ｂを参照すると、アウトソール構造（１４２ｂ）は、ボートデッキ、歩道の磨き上げられたコンクリートおよび大理石の床、歩道の塗装面などの堅く、特に滑らかで、さらに特に硬く、湿った、滑らかな表面に高いトラクション力を提供するために特別に設計された１組のトラクション部材（１４６）を具備する。これらのトラクション部材（１４６）は、種々の表面で良好な把持力とトラクション力を提供するための特定の形状と寸法を具備している。例えば、靴は、歩きながら、また、クラブハウス、オフィス、自宅で、または上述のような種々のレクリエーション活動で着用できる。トラクション部材（１４６）は、表面との高い接触を維持し、安定性を実現する。トラクション部材（１４６）は、硬くて濡れた滑らかな表面での滑りを防ぐ。
【００５９】
アウトソール（１４２ａ、１４２ｂ）は、図１７ａおよび図１７ｂに示すように、異なる牽引部材（１４４、１４６）を具備して、アウトソールをコース内またはコース外の摩耗、すなわち、硬い表面および柔らかい表面の双方の摩耗において最適化することができることに留意されたい。ただし、両方のアウトソール構造（１４２ａ、１４２ｂ）の双方において、アウトソールは全般的に上述のトレッドパターンを具備し、これは、（ａ）第１、第２（中間）、および第３のゾーンの、トラクション部材付きタイルを含む前方足部領域；（ｂ）１つのゾーンのトラクション付きタイルを含む中央足部領域；および（ｃ）第１、第２（中間）、および第３のゾーンの、トラクション部材付きタイルを含む後方足部領域を具備する。すなわち、アウトソールにおけるトラクション部材（１４４、１４６）のタイプは異なるけれども、トラクション部材の幾何学的構成は、上述の非溝付きパターンに似ている。このパターンは、トラクション部材の体積あたりの高いトラクション力と、提供されるトラクション力の最小の芝トレンチ特性を靴に提供するのに役立つ。
【００６０】
本明細書に数値の下限および数値の上限が記載される場合、これらの値の任意の組み合わせが使用されて良いことが意図されている。動作例以外、または明示的に指定されていない限り、「約」という用語が、値、量、または範囲とともに明示的に表示されなくとも、数値の範囲、量、値、および材料の量などの明細書のパーセントなどはすべて、「約」という言葉で始まるように解釈されて良い。したがって、そうでないことが示されない限り、本明細書および添付の特許請求の範囲に示される数値パラメータは、この発明によって得られることが求められる所望の特性に応じて変わり得る近似値である。
【００６１】
用語「第１」、「第２」、「第３」、「トップ」、「ボトム」、「上側」、「下側」、「下方」、「右」、「左」、「中間」、「近位」、「遠位」、「外側」（ラテラル）、「内側」（メディアル）、「前方」、「後方」などは、１つの視点に基づいて要素の１つの位置を指すために使用される任意の用語であり、この発明の範囲を限定するものと解釈されるべきではないことに留意されたい。
【００６２】
ここで説明および図示される靴の材料、設計、および構造は、この発明のいくつかの実施例のみを表すことが理解される。この発明の趣旨および範囲から逸脱することなく、材料、設計、および構造に様々な変更および追加を加えることができることを当業者は理解する。そのような実施例はすべて、添付の特許請求の範囲に含まれることが意図されている。
【符号の説明】
【００６３】
１０    ゴルフ靴
１２    アッパー
１４    ミッドソール
１６    アウトソール
２５    トラクション部材
２７    アウトソール１６の底面
３０    組（Ａ）の螺旋状経路
３２    原点
３４    組（Ｂ）の螺旋状経路
３６    原点
Ａ    第１組の螺旋状経路
Ｂ    他の組の螺旋状経路
Ａ１、Ａ２、Ａ３    螺旋状セグメント
Ｂ１、Ｂ２、Ｂ３    螺旋状セグメント
３３、３５、３７、および３９  螺旋状のサブセグメント辺
【図１】
2020099671.tif 000003
【図１Ａ】
2020099671.tif 000004
【図２Ａ】
2020099671.tif 000005
【図２Ｂ】
2020099671.tif 000006
【図２Ｃ】
2020099671.tif 000007
【図３Ａ】
2020099671.tif 000008
【図３Ｂ】
2020099671.tif 000009
【図４Ａ】
2020099671.tif 000010
【図４Ｂ】
2020099671.tif 000011
【図４Ｃ】
2020099671.tif 000012
【図５Ａ】
2020099671.tif 000013
【図５Ｂ】
2020099671.tif 000014
【図５Ｃ】
2020099671.tif 000015
【図６Ａ】
2020099671.tif 000016
【図６Ｂ】
2020099671.tif 000017
【図６Ｃ】
2020099671.tif 000018
【図６Ｄ】
2020099671.tif 000019
【図７】
2020099671.tif 000020
【図８】
2020099671.tif 000021
【図９】
2020099671.tif 000022
【図９Ａ】
2020099671.tif 000023
【図１０】
2020099671.tif 000024
【図１０Ａ】
2020099671.tif 000025
【図１１】
2020099671.tif 000026
【図１１Ａ】
2020099671.tif 000027
【図１２】
2020099671.tif 000028
【図１３】
2020099671.tif 000029
【図１４】
2020099671.tif 000030
【図１５】
2020099671.tif 000031
【図１６】
2020099671.tif 000032
【図１７Ａ】
2020099671.tif 000033
【図１７Ｂ】
2020099671.tif 000034
【外国語明細書】
2020099671000001.pdf